(57)【要約】【課題】遊技機の外枠が非木製であっても、遊技機を傷つけることなく一纏めに連ならせることができて、効率的に配送することが可能な遊技機を提供する。【解決手段】遊技機としてのパチンコ機１１の外枠１２の天板１２ａに、上向きタップ孔１２ａ１を形成すると共に、上向きタップ孔１２ａ１に嵌合可能な複数の固定用ネジ３３が予め設定された所定間隔で配設された連結治具３２によって複数のパチンコ機１１を連結治具３２の長手方向に沿って所定の間隔をあけながら着脱可能に連結する。【選択図】図３
2007229233.tif 000002
【特許請求の範囲】
【請求項１】
筐体をなす外枠を有する遊技機において、
前記遊技機は、前記外枠に嵌合孔が形成されていると共に、前記嵌合孔に嵌合可能な複数の嵌合部材が予め設定された所定間隔で配設された長尺部材によって着脱可能に連結されることを特徴とする遊技機。
【請求項２】
前記長尺部材は、前記遊技機の前後方向、且つ前記外枠に対してほぼ直交するように配設されることを特徴とする請求項１に記載の遊技機。
【発明の詳細な説明】
【技術分野】
【０００１】
この発明は、パチンコ機等の遊技機に関し、さらに詳しくは、製品製造工場等から輸送トラックによって配送される遊技機に関する。
【０００２】
従来、パチンコ機等の遊技機は、製品製造工場において組み立てが終了すると、流通業者の輸送トラックによって販社、遊技場等に向けて配送される。
【０００３】
配送時における遊技機は、数量、配送先等に応じて、１個ずつ専用の段ボール箱に納める箱入りタイプ（例えば、特許文献１参照）、或いは、図６に示されるように、複数の遊技機１の天板２を釘打ちした桟（例えば、左右２つの角材）３で連結固定する天板つなぎタイプのうちいずれかのタイプによって配送されていた。
【０００４】
【特許文献１】特開２０００−４３１６０号公報
【発明の開示】
【発明が解決しようとする課題】
【０００５】
しかしながら、段ボール箱を用いて輸送した場合、遊技島と呼ばれる枠台に設置するため段ボール箱から遊技機を取り出してしまうと段ボール箱は不要となるため、その空き箱の処分に困ってしまうという問題があった。
【０００６】
また、遊技機は、環境、資源面を考慮して外枠（天板）が非木製、例えば合成樹脂や金属系に徐々に切り替わっていくことが想定されているが、天板が非木製となると、桟を釘打ち固定する天板つなぎタイプによって配送することはできないという問題が発生する。
【０００７】
そこで、この発明は、上記した従来技術が有している問題点を解決するためになされたものであって、遊技機の外枠が非木製であっても、遊技機を傷つけることなく一纏めに連ならせることができて、効率的に配送することが可能な遊技機を提供することを目的とする。
【０００８】
上記目的を達成するため第１の発明は、筐体をなす外枠を有する遊技機において、
前記遊技機は、前記外枠に嵌合孔が形成されていると共に、前記嵌合孔に嵌合可能な複数の嵌合部材が予め設定された所定間隔で配設された長尺部材によって着脱可能に連結されることを特徴とする。
【０００９】
第１の発明によれば、遊技機は、外枠に形成された嵌合孔に長尺部材の嵌合部材を嵌合させると、長尺部材の長手方向に沿って所定の間隔をあけながら着脱可能に連結する。これにより、遊技機の外枠が合成樹脂や金属系の非木製であっても、複数の遊技機をひとまとめに連結させることができるようになる。しかも、機械ピッチ、すなわち遊技機配設ピッチが一定なので、遊技機に傷をつけないようにすることができる。さらには、遊技機と長尺部材との着脱は容易であるため、輸送トラックにて配送する際の遊技機の積み降ろし時間を短縮化することができるだけでなく、所望する遊技機のみを長尺部材から手早く取り外すことがことができるようになる。また、長尺部材及び嵌合部材は何度も繰り返し使用することができるので、経済性のみならず、環境、資源面でも優れた効果を発揮する。
【００１０】
上記目的を達成するため第２の発明は、第１の発明において、前記長尺部材は、前記遊技機の前後方向、且つ前記外枠に対してほぼ直交するように配設されることを特徴とする。
【００１１】
第２の発明によれば、長尺部材は、遊技機の前後方向、且つ外枠に対してほぼ直交するように配設されるので、複数の遊技機を縦一列に効率よく連ならせることができると共に、遊技機の前面パネル及び背面側の基板等に傷をつけないようにすることできる。
【発明の効果】
【００１２】
本発明の遊技機によれば、遊技機の外枠に形成された嵌合孔に長尺部材の嵌合部材を嵌合させることによって、長尺部材の長手方向に沿って所定間隔をあけながら着脱可能に連結されるので、遊技機の外枠が合成樹脂や金属系の非木製であっても、遊技機を傷をつけることなく、ひとまとめに連ならせることができる。しかも、遊技機と長尺部材との脱着が容易なので、遊技機を効率的に配送することができるようになる。
【発明を実施するための最良の形態】
【００１３】
以下、本発明の実施形態の遊技機としてのパチンコ機について図面を用いて説明する。図１は、パチンコ機の正面図、図２は、図１の背面図である。
【００１４】
まず、遊技機としてのパチンコ機の概略構成について説明する。
図１に示されるように、遊技機としてのパチンコ機１１は、パチンコ機全体の筐体をなす外枠１２、遊技盤保持枠１３、前面パネル１４等で構成されている。遊技盤保持枠１３は、遊技盤１６を有して、外枠１２に回転可能に設けられている。前面パネル１４は、遊技盤保持枠１３を開閉できるように、外枠１２に回転自在に設けられている。さらに、この前面パネル１４には、遊技盤１６を覆うガラスを有して遊技盤１６を開閉するガラス枠１８、遊技球としてのパチンコ球を発射する発射装置３１及びこの発射装置を操作する発射ハンドル４１を設けてある皿ユニット１９等が備えられている。
【００１５】
遊技盤１６の前面には、液晶からなる特別図柄表示画面２２を有するエスカッション２０、複数の入賞口１５、特別入賞口１７、いずれの入賞口１５，１７にも入らなかったアウト球を遊技盤１６から排出するアウト口２１、図示しない障害釘等が備えられている。特別図柄表示画面２２は、遊技盤１６のほぼ中央に位置してエスカッション２０の開口２０ａから露出するように設けられている。
【００１６】
図２に示されるように、パチンコ機１１の背面側には、遊技島に設置してある貯留装置から一度に多数のパチンコ球が送り込まれても受け止めることのできる賞球タンク２３、この賞球タンク２３から流出する賞球を案内する横案内路２４及び図示しない縦案内路、表側に特別図柄表示画面２２を備えた液晶ユニット２５、サブ制御基板２６、パチンコ機全体を制御する主制御基板２７、パチンコ機全体の電源となる電源ユニット２８、賞球の払い出し制御を行う払い出し制御基板２９、発射装置３１を発射制御する発射制御基板３０等が備えられている。
【００１７】
主制御基板２７は、パチンコ機全体を制御するため、パチンコ機１１の動作全体を管理するシステムプログラム及び遊技用の実行プログラムが予め記憶された半導体メモリ等からなる記憶部、これらのプログラムを実行するマイクロプロセッサ（ＭＰＵ）を備えている。
【００１８】
次に、本発明の第１の実施形態に係るパチンコ機について図３を用いて説明する。図３は、本発明の第１の実施形態に係るパチンコ機の外枠と連結部材とを示した斜視図である。
【００１９】
まず、パチンコ機１１の外枠１２について説明する。
図３に示されるように、外枠１２は、上下左右に方形枠状となるように連結されたいずれも非木製（例えば合成樹脂や金属系）の上側枠としての天板１２ａ、下側枠１２ｂ、左側枠１２ｃ、右側枠１２ｄとを備えている。天板１２ａ及び下側枠１２ｂには、外枠１２を遊技島に取り付け固定するための取付孔（図示せず）が穿設されている。さらに、天板１２ａの上面側には、嵌合孔としての上向きタップ孔１２ａ１がそれぞれ左右側に１つずつ穿設されている。それらタップ孔１２ａ１の内周面は雌ねじ切りされている。
【００２０】
なお、タップ孔１２ａ１は、天板１２ａの左右２カ所に設けるのが好ましいが、それに限定されるものではなく、中央１カ所、或いは左右と中央の３カ所、或いは３カ所以上であってもよい。また、タップ孔１２ａ１は、天板１２ａにのみ穿設されるものではなく、天板１２ａ１に加えて、或いは天板１２ａの代わりに、左側枠１２ｃ、右側枠１２ｄの外側面にそれぞれ穿設することも可能である。
【００２１】
長尺部材としての連結治具３２は、左右一対として用いられる非木製の板状部材であって、その上面側から下面側にかけて貫通したネジ孔３２ａを有している。このようなネジ孔３２ａは、連結治具３２の長手方向に沿って、予め設定された所定間隔、すなわち、連結治具３２に連結されたパチンコ機１１の前後方向に十分な隙間があるように、複数形成されていると共に、それらネジ孔３２ａには、パチンコ機１１の天板１２ａに穿設された上向きタップ孔１２ａ１に螺合可能とする固定用ネジ３３がそれぞれ下向きに螺合している。
【００２２】
次に、本実施形態に係るパチンコ機１１に連結治具３２を着脱する手順について図３を用いて説明する。
【００２３】
パチンコ機１１に連結治具３２を装着する場合、まず、２つの連結治具３２，３２のうち何れか一方の連結治具３２をそれぞれパチンコ機１１の前後方向、且つ天板１２ａに対してほぼ直交するように配設する。そして、連結治具３２のネジ孔３２ａに上方側から浅く螺合させてある固定用ネジ３３を、パチンコ機１１の天板１２ａの上向きタップ孔１２ａ１に位置合わせしたのちねじ込んでいくと、固定用ネジ３３の雄ねじ部が連結治具３２の下面側に突き抜けたのち上向きタップ孔１２ａ１内を螺合しながら進み、やがて固定用ネジ３３の頭部が連結治具３２の上面側に当接することによってパチンコ機１１と連結治具３２とが共締め固定される。
【００２４】
また、他方の連結治具３２についても同様にして固定用ネジ３３によってパチンコ機１１に共締め固定する。
【００２５】
そして、このような作業をその他の複数のパチンコ機１１についても行うことによって、パチンコ機１１の外枠１２が合成樹脂や金属系の非木製であっても、連結治具３２，３２によって複数のパチンコ機１１を縦一列に効率よくひとまとめに連ならせることができるようになる。また、天板１２ａが木製であっても、天板１２ａに桟を釘打ちすることはないので、不要な傷を天板１２ａにつけないようにすることができる。しかも、機械ピッチ、すなわちパチンコ機１１の配設ピッチが一定なので、パチンコ機１１の前面パネル１４や背面側のサブ基板２６等に傷がつくようなことは殆どない。さらには、このように連結されたパチンコ機１１は安定性が優れているだけでなく、連結治具３２，３２が緩衝材の機能を果たすので上下方向に積み重ねてもパチンコ機１１への負担が軽減され、輸送トラックにて配送を行う場合に好適である。
【００２６】
一方、連結治具３２，３２からパチンコ機１１を取り外す場合には、取り外そうとするパチンコ機１１を固定している固定用ネジ３３，３３を緩めることによって、パチンコ機１１と連結治具３２，３２との連結が解除される。そこで、パチンコ機１１を連結治具３２，３２から離脱させることによって所望するパチンコ機１１を容易に取り外すことができる。このように、パチンコ機１１と連結治具３２，３２との着脱は容易であるため、輸送トラックにて配送する際のパチンコ機１１の積み降ろし時間を短縮化することができるだけでなく、所望するパチンコ機のみを連結治具３２，３２から手早く取り外すことがことができるようになる。また、連結治具３２及び固定用ネジ３３は何度も繰り返し使用することができるので、経済性のみならず、環境、資源面でも優れた効果を発揮する。
【００２７】
次に、本発明の第２の実施形態に係るパチンコ機について図４を用いて説明する。図４（ａ）は、本発明の第２の実施形態に係るパチンコ機の外枠と長尺部材とを示した斜視図、（ｂ）は、同例におけるパチンコ機の外枠と長尺部材との係合状態を示した断面図である。
【００２８】
なお、上述した第１の実施形態に係るパチンコ機と同様の構成については同一の符号を伏し、この構成及び作用に関する説明はここでは省略するものとする。
【００２９】
この第２の実施形態にあっては、第１の実施形態で用いた固定用ネジ３３に代えて天板１２ａと連結治具３２とを互いに爪部によって係止させるものである。
【００３０】
具体的には、連結治具３２の下面側には、上向きの爪部３２ｂ１を有する挿入係止片３２ｂが予め設定された所定間隔で一体的に形成されている。
【００３１】
一方、天板１２ａの上面側には、嵌合孔としての挿入嵌合孔１２ａ２がそれぞれ左右側に１つずつ穿設されている。挿入嵌合孔１２ａ２は、挿入係止片３２ｂが挿抜可能となるように上方に向かって開口した直方体形状の挿入部１２ａ２１と、この挿入部１２ａ２１に挿入された挿入係止片３２ｂを、連結治具３２の短手方向に向かってスライド可能とすると共に、スライド移動した挿入係止片３２ｂの爪部３２ｂ１に係止する爪部１２ａ２３が形成された嵌合部１２ａ２２とを備えている。
【００３２】
なお、挿入嵌合孔１２ａ２の形状を適宜変形させて、挿入係止片３２ｂのスライド方向を連結治具３２の長手方向とすることも可能である。
【００３３】
次に、本実施形態に係るパチンコ機１１に連結治具３２を着脱する手順について図４を用いて説明する。
【００３４】
パチンコ機１１に連結治具３２を装着する場合、まず、２つの連結治具３２，３２のうち何れか一方の連結治具３２をそれぞれパチンコ機１１の前後方向、且つ天板１２ａに対してほぼ直交するように配設する。そして、連結治具３２の挿入係止片３２ｂをパチンコ機１１の天板１２ａの挿入部１２ａ２１に位置合わせして挿入し、挿入したら連結治具３２を短手方向に移動させて嵌合部１２ａ２２の爪部１２ａ２３に挿入係止片３２ｂの爪部３２ｂ１を係止させる。
【００３５】
また、他方の連結治具３２についても同様にして嵌合部１２ａ２２の爪部１２ａ２３に挿入係止片３２ｂの爪部３２ｂ１を係止させる。
【００３６】
そして、このような作業をその他の複数のパチンコ機１１についても行うことによって、第１の実施形態と同様に、パチンコ機１１の外枠１２が合成樹脂や金属系の非木製であっても、連結治具３２，３２によって複数のパチンコ機１１を縦一列に効率よくひとまとめに連ならせることができるようになる。
【００３７】
一方、連結治具３２，３２からパチンコ機１１を取り外す場合には、連結治具３２，３２を嵌合部１２ａ２２から挿入部１２ａ２１に向かってスライド移動させてから上方に抜くことによって、パチンコ機１１と連結治具３２，３２との連結が解除される。
【００３８】
次に、本発明の第３の実施形態に係るパチンコ機について図５を用いて説明する。図５（ａ）は、本発明の第３の実施形態に係るパチンコ機の外枠と長尺部材とを示した斜視図、（ｂ）は、同例におけるパチンコ機の外枠と長尺部材との係合状態を示した断面図である。
【００３９】
なお、上述した第１の実施形態に係るパチンコ機と同様の構成については同一の符号を伏し、この構成及び作用に関する説明はここでは省略するものとする。
【００４０】
この第３の実施形態にあっては、第１の実施形態で用いた固定用ネジ３３に代えて天板１２ａに軽量化のために設けられる肉ぬすみ孔を利用して、天板１２ａと連結治具３２とを係止させるものである。
【００４１】
具体的には、天板１２ａの上面側には、嵌合孔としての直方体形状の肉ぬすみ孔１２ａ３が前後２列に並んだ状態で穿設されている。そして、前後に並んだ肉ぬすみ孔１２ａ３，１２ａ３に跨るように係合する挿入係止部３２ｃが連結治具３２の下面側に予め設定された所定間隔で一体的に形成されている。
【００４２】
なお、挿入係止部３２ｄは、肉ぬすみ孔１２ａ３の形状に応じて変形することが可能である。
【００４３】
次に、本実施形態に係るパチンコ機１１に連結治具３２を着脱する手順について図５を用いて説明する。
【００４４】
パチンコ機１１に連結治具３２を装着する場合、まず、２つの連結治具３２，３２のうち何れか一方の連結治具３２をそれぞれパチンコ機１１の前後方向、且つ天板１２ａに対してほぼ直交するように配設する。そして、連結治具３２の挿入係止部３２ｃをパチンコ機１１の天板１２ａの肉ぬすみ部１２ａ３に位置合わせして挿入して係止させる。
【００４５】
また、他方の連結治具３２についても同様にして嵌合部１２ａ２２の爪部１２ａ２３に挿入係止片３２ｂの爪部３２ｂ１を係止させる。
【００４６】
そして、このような作業をその他の複数のパチンコ機１１についても行うことによって、第１の実施形態と同様に、パチンコ機１１の外枠１２が合成樹脂や金属系の非木製であっても、連結治具３２，３２によって複数のパチンコ機１１を縦一列に効率よくひとまとめに連ならせることができるようになる。
【００４７】
一方、連結治具３２，３２からパチンコ機１１を取り外す場合には、連結治具３２の挿入係止部３２ｃを肉ぬすみ部１２ａ３から抜出することによって、パチンコ機１１と連結治具３２，３２との連結が解除される。
【００４８】
以上説明したように本発明によれば、パチンコ機１１は、天板１２ａに形成されたタップ孔１２ａ１（或いは、挿入嵌合孔１２ａ２、肉ぬすみ部１２ｃ３）に連結治具３２の固定ネジ３３（或いは、挿入係止片３２ｄ、挿入係止部３２ｃ）を嵌合させると、連結治具３２の長手方向に沿って所定の間隔をあけながら着脱可能に連結する。これにより、パチンコ機１１の外枠１２が合成樹脂や金属系の非木製であっても、複数のパチンコ機１１をひとまとめに連結させることができるようになる。しかも、機械ピッチ、すなわちパチンコ機１１の配設ピッチが一定なので、パチンコ機１１に傷をつけないようにすることができる。さらには、パチンコ機１１と連結治具３２との着脱は容易であるため、輸送トラックにて配送する際のパチンコ機１１の積み降ろし時間を短縮化することができるだけでなく、所望するパチンコ機のみを連結治具３２から手早く取り外すことがことができるようになる。また、連結治具３２及び固定用ネジ３３（或いは、挿入係止片３２ｄ、挿入係止部３２ｃ）は何度も繰り返し使用することができるので、経済性のみならず、環境、資源面でも優れた効果を発揮する。
【００４９】
また、本発明によれば、連結治具３２は、パチンコ機１１の前後方向、且つ外枠に対してほぼ直交するように配設されるので、複数のパチンコ機１１を縦一列に効率よく連ならせることができると共に、パチンコ機１１の前面パネル１７及び背面側のサブ制御基板２６等に傷をつけないようにすることできる。
【００５０】
なお、連結治具３２は、合成樹脂、金属系の非木製としたが、それに限定されるものではなく、勿論、木製であってもよい。また、木製の場合、ネジ孔３２ａを非木製としてもよい。さらには、連結治具３２の上下面に、滑り止めを兼ねた緩衝材としての弾性部材（例えばゴム）を貼り付けてもよい。
【図面の簡単な説明】
【００５１】
【図１】パチンコ機の正面図である。
【図２】図１の背面図である。
【図３】本発明の第１の実施形態に係るパチンコ機の外枠と長尺部材とを示した斜視図である。
【図４】本発明の第２の実施形態に係るパチンコ機の外枠と長尺部材とを示した斜視図である。
【図５】本発明の第３の実施形態に係るパチンコ機の外枠と長尺部材とを示した斜視図である。
【図６】従来の遊技機の搬送方法の一例を示した側面図である。
【符号の説明】
【００５２】
１１    パチンコ機（遊技機）
１２    外枠
１２ａ  天板（上側枠）
１２ａ１  上向きタップ孔（嵌合孔）
１２ａ２  挿入嵌合部（嵌合孔）
１２ａ２１  挿入部
１２ａ２２  嵌合部
１２ａ３    肉ぬすみ部（嵌合孔）
３２    連結治具（長尺部材）
３２ａ  ネジ孔
３２ｂ  挿入係止片（嵌合部材）
３２ｂ１  爪部
３２ｃ  挿入係止部（嵌合部材）
３３    固定用ネジ（嵌合部材）
【図１】
2007229233.tif 000003
【図２】
2007229233.tif 000004
【図３】
2007229233.tif 000005
【図４】
2007229233.tif 000006
【図５】
2007229233.tif 000007
【図６】
2007229233.tif 000008